(57)【特許請求の範囲】
【請求項１】
一端部に第１球形状と、他端部に第２球形状と、を備える連結部と、
内側に第１挟持部と、内側に前記第１球形状が回動可能に嵌合される第１嵌合部と、を備える第１アーム部と、
内側に前記第１挟持部と一対となる第２挟持部と、内側に前記第１球形状が回動可能に嵌合される第２嵌合部と、を備える第２アーム部と、
一端部が前記第１アーム部の前記第１挟持部及び前記第１嵌合部の間に接続され、他端部が前記第２アーム部に接続され、前記第２挟持部に対して前記第１挟持部が近づく方向に付勢する第１バネ部と、
内側に第３挟持部と、内側に前記第２球形状が回動可能に嵌合される第３嵌合部と、を備える第３アーム部と、
内側に前記第３挟持部と一対となる第４挟持部と、内側に前記第２球形状が回動可能に嵌合される第４嵌合部と、を備える第４アーム部と、
一端部が前記第３アーム部の前記第３挟持部及び前記第３嵌合部の間に接続され、他端部が前記第４アーム部に接続され、前記第４挟持部に対して前記第３挟持部が近づく方向に付勢する第２バネ部と、
を具備し、
前記第１挟持部及び前記第２挟持部は前記第１球形状の中心点を通る第１軸線を中心に相対揺動可能であり、且つ前記第３挟持部及び前記第４挟持部は前記第２球形状の中心点を通る第２軸線を中心に相対揺動可能であり、且つ前記連結部は前記第１球形状の中心点を通り且つ前記第１軸線に対して平行で無い第３軸線を中心に前記第１アーム部に対して回動可能である、
挟持具。
【請求項２】
一端部に第１球形状と、他端部に第２球形状と、を備える連結部と、
内側に第１挟持部と、内側に前記第１球形状及び第３球形状がそれぞれ回動可能に嵌合され並列に配置される第１嵌合部及び第２嵌合部と、を備える第１アーム部と、
内側に前記第１挟持部と一対となる第２挟持部と、内側に前記第１球形状及び前記第３球形状がそれぞれ回動可能に嵌合され並列に配置される第３嵌合部及び第４嵌合部と、を備える第２アーム部と、
一端部が前記第１アーム部の前記第１挟持部及び前記第１嵌合部の間に接続され、他端部が前記第２アーム部に接続され、前記第２挟持部に対して前記第１挟持部が近づく方向に付勢する第１バネ部と、
内側に第３挟持部と、内側に前記第２球形状及び第４球形状がそれぞれ回動可能に嵌合され並列に配置される第５嵌合部及び第６嵌合部と、を備える第３アーム部と、
内側に前記第３挟持部と一対となる第４挟持部と、内側に前記第２球形状及び前記第４球形状がそれぞれ回動可能に嵌合され並列に配置される第７嵌合部及び第８嵌合部と、を備える第４アーム部と、
一端部が前記第３アーム部の前記第３挟持部及び前記第５嵌合部の間に接続され、他端部が前記第４アーム部に接続され、前記第４挟持部に対して前記第３挟持部が近づく方向に付勢する第２バネ部と、
を具備し、
前記第１挟持部及び前記第２挟持部は前記第１球形状の中心点及び前記第３球形状の中心点を通る第１軸線を中心に相対揺動可能であり、且つ前記第３挟持部及び前記第４挟持部は前記第２球形状の中心点及び前記第４球形状の中心点を通る第２軸線を中心に相対揺動可能であり、且つ前記連結部は前記第１球形状の中心点を通り且つ前記第１軸線に対して平行で無い第３軸線を中心に前記第１アーム部に対して回動可能である、
挟持具。
【請求項３】
前記第１アーム部から前記第４アーム部はいずれも略三角形状であり、前記第１挟持部から前記第４挟持部はいずれも前記略三角形状の辺部に配置される、
請求項１から請求項２のいずれかに記載の挟持具。
【請求項４】
前記第１アーム部及び前記第３アーム部は同一形状であり、
前記第２アーム部及び前記第４アーム部は同一形状である、
請求項１から請求項３のいずれかに記載の挟持具。
【請求項５】
一端部に球形状を備える棒状の連結部と、
内側に第１挟持部と、内側に前記球形状が回動可能に嵌合される第１嵌合部と、を備える第１アーム部と、
内側に前記第１挟持部と一対となる第２挟持部と、内側に前記球形状が回動可能に嵌合される第２嵌合部と、を備える第２アーム部と、
一端部が前記第１アーム部の前記第１挟持部及び前記第１嵌合部の間に接続され、他端部が前記第２アーム部に接続され、前記第２挟持部に対して前記第１挟持部が近づく方向に付勢するバネ部と、
を具備し、
前記第１挟持部及び前記第２挟持部は前記球形状の中心点を通る第１軸線を中心に相対揺動可能であり、且つ前記連結部は前記球形状の中心点を通り且つ前記第１軸線に対して平行で無い第２軸線を中心に前記第１アーム部に対して回動可能である、
挟持具。
【発明の詳細な説明】
【技術分野】
【０００１】
本発明は、挟持具に関する。
【背景技術】
【０００２】
挟持具においては、特許文献１のように一対の指掛部の一方に球形状を備え、棒状の連結部の一端部に球形状が回動可能に支持されるような案が知られている。
またボールピボットにおいては、特許文献２のように球形状が嵌合する部分に中間摺動体を配置して、磨耗に強く安定した摺動抵抗を得るような案が知られている。
【０００３】
また挟持具においては、特許文献３のように一対のアーム部の一方に一体にバネ部が成形されるような案が知られている。
【０００４】
また挟持具においては、特許文献４のように一対の略三角形状のアーム部によって構成される案が知られている。
【０００５】
【特許文献１】特開平０９−０６８９２１号公報
【特許文献２】特開２００２−２２１２１８号公報
【特許文献３】特開２００３−０８８４０６号公報
【特許文献４】特開２００１−０８８４８２号公報
【発明の開示】
【発明が解決しようとする課題】
【０００６】
挟持具においては、球形状を回動可能に支持するボールピボットによって連結部に高い自由度をもたせ、連結部に接続された値札等を見易い位置に掲げることが可能なものが利用されているが、構造がよりシンプルで且つ長期的に安定した摺動抵抗を有するボールピボットを備えるものが待ち望まれている。
【０００７】
また更なる課題としては、２個の挟持具をシンプルに連結できるようなものが望まれている。
【０００８】
また更なる課題としては、３個以上の挟持具をシンプルに連結できるような拡張性を備えているものが望まれている。
【０００９】
また更なる課題としては、コンパクトな外観で且つ十分な挟持力を有する複数の挟持具の相対位置関係に高い自由度をもったものが望まれている。
【００１０】
また更なる課題としては、部品の共通化によってコストを抑えることが望まれている。
【課題を解決するための手段】
【００１１】
本発明の実施形態図等を用いて以下に説明するが、これは本発明の内容をより把握しやすいようにする為で、添付の特許請求の範囲を縮小するものではない。
【００１２】
発明１に係る挟持具は、例えば図１から３の組み、図４から６の組み、のいずれかの組みのように、
一端部に球形状１と、他端部に球形状２と、を備える連結部３と、
内側に挟持部４と、内側に球形状１が回動可能に嵌合される嵌合部５と、を備えるアーム部６と、
内側に挟持部４と一対となる挟持部７と、内側に球形状１が回動可能に嵌合される嵌合部８と、を備えるアーム部９と、
一端部がアーム部６の挟持部４及び嵌合部５の間に接続され、他端部がアーム部９に接続され、挟持部７に対して挟持部４が近づく方向に付勢するバネ部１２と、
内側に挟持部２４と、内側に球形状２が回動可能に嵌合される嵌合部２５と、を備えるアーム部２６と、
内側に挟持部２４と一対となる挟持部２７と、内側に球形状２が回動可能に嵌合される嵌合部２８と、を備えるアーム部２９と、
一端部がアーム部２６の挟持部２４及び嵌合部２５の間に接続され、他端部がアーム部２９に接続され、挟持部２７に対して挟持部２４が近づく方向に付勢するバネ部３２と、
を具備し、
挟持部４及び７は球形状１の中心点１４を通る第１軸線を中心に相対揺動可能であり、且つ挟持部２４及び２７は球形状２の中心点３４を通る第２軸線を中心に相対揺動可能であり、且つ連結部３は球形状１の中心点１４を通り且つ前記第１軸線に対して平行で無い第３軸線を中心にアーム部６に対して回動可能である、
挟持具である。
【００１３】
発明２に係る挟持具は、例えば図４から６の組みのように、
一端部に球形状１と、他端部に球形状２と、を備える連結部３と、
内側に挟持部４と、内側に球形状１及び４１がそれぞれ回動可能に嵌合され並列に配置される嵌合部５及び４５と、を備えるアーム部６と、
内側に挟持部４と一対となる挟持部７と、内側に球形状１及び４１がそれぞれ回動可能に嵌合され並列に配置される嵌合部８及び４６と、を備えるアーム部９と、
一端部がアーム部６の挟持部４及び嵌合部５の間に接続され、他端部がアーム部９に接続され、挟持部７に対して挟持部４が近づく方向に付勢するバネ部１２と、
内側に挟持部２４と、内側に球形状２及び５１がそれぞれ回動可能に嵌合され並列に配置される嵌合部２５及び５５と、を備えるアーム部２６と、
内側に挟持部２４と一対となる挟持部２７と、内側に球形状２及び５１がそれぞれ回動可能に嵌合され並列に配置される嵌合部２８及び５６と、を備えるアーム部２９と、
一端部がアーム部２６の挟持部２４及び嵌合部２５の間に接続され、他端部がアーム部２９に接続され、挟持部２７に対して挟持部２４が近づく方向に付勢するバネ部３２と、
を具備し、
挟持部４及び７は球形状１の中心点１４及び球形状４１の中心点４４を通る第１軸線を中心に相対揺動可能であり、且つ挟持部２４及び２７は球形状２の中心点３４及び球形状５１の中心点５４を通る第２軸線を中心に相対揺動可能であり、且つ連結部３は球形状１の中心点１４を通り且つ前記第１軸線に対して平行で無い第３軸線を中心にアーム部６に対して回動可能である、
挟持具である。
【００１４】
発明３に係る挟持具は、発明１から２のいずれかの挟持具において、
アーム部６、９、２６及び２９はいずれも略三角形状であり、挟持部４、７、２４及び２７はいずれも前記略三角形状の辺部に配置される、
挟持具である。
【００１５】
発明４に係る挟持具は、発明１から３のいずれかの挟持具において、
アーム部６及び２６は同一形状であり、
アーム部９及び２９は同一形状である、
挟持具である。
【００１６】
発明５に係る挟持具は、例えば図１から３の組み、図４から６の組み、図７及び８の組み、のいずれかの組みのように、
一端部に球形状１を備える棒状の連結部３と、
内側に挟持部４と、内側に球形状１が回動可能に嵌合される嵌合部５と、を備えるアーム部６と、
内側に挟持部４と一対となる挟持部７と、内側に球形状１が回動可能に嵌合される嵌合部８と、を備えるアーム部９と、
一端部がアーム部６の挟持部４及び嵌合部５の間に接続され、他端部がアーム部９に接続され、挟持部７に対して挟持部４が近づく方向に付勢するバネ部１２と、
を具備し、
挟持部４及び７は球形状１の中心点１４を通る第１軸線を中心に相対揺動可能であり、且つ連結部３は球形状１の中心点１４を通り且つ前記第１軸線に対して平行で無い第２軸線を中心にアーム部６に対して回動可能である、
挟持具である。
【発明の効果】
【００１７】
以上のように本発明では、球形状１によるボールピボットによって連結部３が高い自由度をもち、球形状１がアーム部６及び９の相対揺動のピボットを兼ねるので非常にシンプルな構造となり、且つバネ部１２の付勢によって嵌合部５及び８が球形状１を挟持するので、長期的に安定した摺動抵抗を有するボールピボットを容易に得ることができる。
【００１８】
また、本発明の効果に加えて、発明１によると、２個の挟持具をシンプルに連結できる。
【００１９】
また、本発明の効果に加えて、発明２によると、３個以上の挟持具をシンプルに連結できるような拡張性を備えた構成が容易となる。
【００２０】
また、本発明の効果に加えて、発明３によると、コンパクトな外観で且つ十分な挟持力を有する複数の挟持具の相対位置関係に高い自由度をもった構成が容易となる。
【００２１】
また、本発明の効果に加えて、発明４によると、部品の共通化によってコストを抑えることができる。
【発明を実施するための最良の形態】
【００２２】
〔第１実施形態〕
図１から３において、アーム部６、９、２６及び２９はいずれも同一形状であり、二等辺三角形板状の樹脂成型部材である。アーム部６及び９それぞれの、底辺部（一端部）の内側には挟持部４及び７と、中央部の内側には球面凹状の嵌合部５及び８と、頂角部（他端部）の外側には指掛部１９及び２０と、が配置されており、またアーム部６の中間部の外側には球形状１に隔てられるように並列にバネ案内溝１３及び１８が配置されており、またアーム部９の中間部の外側にも球形状１に隔てられるように並列にバネ案内溝２１及び２２が配置されている。
また、連結部３は棒状であり、一端部及び他端部にそれぞれ同一形状の球形状１及び２が配置されている。
また、バネ部１２、１７、３２及び３７はいずれも同一形状であり、略Ｃ字状の板バネである。
【００２３】
球形状１を嵌合部５及び８で挟むように嵌合させ、バネ案内溝１３及び２１にそれぞれ一端部１０及び他端部１１が案内されるようにバネ部１２を広げて差し込み、バネ案内溝１８及び２２にそれぞれ一端部１５及び他端部１６が案内されるようにバネ部１７を広げて差し込むことで、挟持部４及び７の間が閉じ、且つ球形状１が嵌合部５及び８によって摺動可能に挟持される。ここで、指掛部１９及び２０が近づくように指でつまむことによって、球形状１の中心点１４を通る軸線を中心にアーム部６及び９が相対揺動し、挟持部４及び７の間が開く。
また、アーム部２６及び２９、バネ部３２及び３７も同様に球形状２に対して組み付けることで、２個の挟持具がコンパクトに連結された状態となり、２個の挟持具を相対回動させて図１のような第１状態から図３のような第２状態に簡便に変化させることが可能となる。
【００２４】
〔第２実施形態〕
図４から６において、アーム部６、９、２６及び２９はいずれも同一形状であり、二等辺三角形板状の樹脂成型部材である。アーム部６及び９それぞれの、底辺部（一端部）の内側には挟持部４及び７と、中間部の外側にはバネ案内溝１３及び２１と、頂角部（他端部）の外側には指掛部１９及び２０と、が配置されており、またアーム部６の中間部の内側には球形状１に隔てられるように並列に球面凹状の嵌合部５及び４５が配置されており、またアーム部９の中間部の内側にも球形状１に隔てられるように並列に球面凹状の嵌合部８及び４６が配置されている。
また、連結部３は棒状であり、一端部及び他端部にそれぞれ同一形状の球形状１及び２が配置されている。また連結部３、４３及び５３はいずれも同一形状である。
また、バネ部１２及び３２はいずれも同一形状であり、略Ｃ字状の板バネである。
【００２５】
球形状１を嵌合部５及び８で挟むように嵌合させ、球形状４１を嵌合部４５及び４６で挟むように嵌合させ、バネ案内溝１３及び２１にそれぞれ一端部１０及び他端部１１が案内されるようにバネ部１２を広げて差し込むことで、挟持部４及び７の間が閉じ、且つ球形状１が嵌合部５及び８によって摺動可能に挟持され、且つ球形状４１が嵌合部４５及び４６によって摺動可能に挟持される。ここで、指掛部１９及び２０が近づくように指でつまむことによって、球形状１の中心点１４及び球形状４１の中心点４４を通る軸線を中心にアーム部６及び９が相対揺動し、挟持部４及び７の間が開く。
また、アーム部２６及び２９、バネ部３２も同様に球形状２及び５１に対して組み付けることで、２個の挟持具がコンパクトに連結された状態となり、２個の挟持具を相対回動させて図４のような第１状態から図６のような第２状態に簡便に変化させることが可能となる。
また、連結部４３の球形状４２や、連結部５３の球形状５２を利用して挟持具をさらに連結していくことも可能であるし、これ以上連結する必要が無い場合は、指掛部１９及び２０が遠ざかる方向に移動させて連結部４３を引き抜き、替わりに球形状部材を入れておけば良いだろう。
【００２６】
〔第３実施形態〕
図７及び８において、アーム部６及び９は同一形状であり、二等辺三角形板状の樹脂成型部材である。アーム部６及び９それぞれの、底辺部（一端部）の内側には挟持部４及び７と、中央部の内側には球面凹状の嵌合部５及び８と、中央部の外側にはバネ案内溝１３及び２１と、頂角部（他端部）の外側には指掛部１９及び２０と、が配置されている。
また、連結部３は棒状であり、一端部に球形状１が配置されており、他端部は値札や宣伝等の掲示板、筆記具の蓋、又は磁石等に接続される構成が考えられる。
また、バネ部１２は略Ｃ字状の板バネである。
【００２７】
球形状１を嵌合部５及び８で挟むように嵌合させ、バネ案内溝１３及び２１にそれぞれ一端部１０及び他端部１１が案内されるようにバネ部１２を広げて差し込むことで、挟持部４及び７の間が閉じ、且つ球形状１が嵌合部５及び８によって摺動可能に挟持される。ここで、指掛部１９及び２０が近づくように指でつまむことによって、球形状１の中心点１４を通る軸線を中心にアーム部６及び９が相対揺動し、挟持部４及び７の間が開く。
【００２８】
〔その他の実施形態〕
第１から第３実施形態において、特許文献３のように一対のアーム部の一方に一体にバネ部が成形されるような構成であっても良いし、また一対のアーム部及びバネ部をすべて一体に成形することも当業者には容易である。
【図面の簡単な説明】
【００２９】
【図１】第１実施形態の第１状態を表す図
【図２】図１の線分Ａ−Ａ断面図
【図３】第１実施形態の第２状態を表す図
【図４】第２実施形態の第１状態を表す図
【図５】図４の線分Ｂ−Ｂ断面図
【図６】第２実施形態の第２状態を表す図
【図７】第３実施形態を表す図
【図８】図７の線分Ｃ−Ｃ断面図
【符号の説明】
【００３０】
１,２,４１,４２,５１,５２.                            球形状
３,４３,５３.                                                  連結部
４,７,２４,２７.                               挟持部
５,８,２５,２８,４５,４６,５５,５６.           嵌合部
６,９,２６,２９.                               アーム部
１０,１５,３０,３５.                                     一端部
１１,１６,３１,３６.                                     他端部
１２,１７,３２,３７.                                     バネ部
１３,１８,２１,２２,３３,３８.                    バネ案内溝
１４,３４,４４,５４.                                     中心点
１９,２０,３９,４０.                                     指掛部
【要約】
【課題】    挟持具においては、球形状を回動可能に支持するボールピボットによって連結部に高い自由度をもたせ、連結部に接続された値札等を見易い位置に掲げることが可能なものが利用されているが、構造がよりシンプルで且つ長期的に安定した摺動抵抗を有するボールピボットを備えるものが待ち望まれている。
【解決手段】  球形状（１）にアーム部（６）及び（９）の相対揺動のピボットを兼ねさせ、且つバネ部（１２）の付勢によって嵌合部（５）及び（８）が球形状（１）を挟持するように構成する。
【選択図】              図４【図１】
0004044610.tif 000002
【図２】
0004044610.tif 000003
【図３】
0004044610.tif 000004
【図４】
0004044610.tif 000005
【図５】
0004044610.tif 000006
【図６】
0004044610.tif 000007
【図７】
0004044610.tif 000008
【図８】
0004044610.tif 000009